(57)【要約】【課題】従来、この種の誘導電動機はベアリングを介して回転自由に保持されたロ−タと前記ベアリングを保持するブラケットを有し、前記ブラケットによりステ−タを挟み込みステ−タを固定していた。前記従来の構成では、ステ−タ及びブラケットの寸法バラツキにより両側のブラケットの平行度が出なく、ロ−タとステ−タの空間距離が不均等となり、擦れ音が発生するという課題を有していた。【解決手段】両側のブラケット３，４に突起部７，８を設け、その部分を突き当てる構造とすることによりステ−タ５とブラケット３，４のバラツキに関係なく平行度が出せ、ロ−タ２とステ−タ５の擦れ音を低減することが出来る。【選択図】図１
2005253224.tif 000002
【特許請求の範囲】
【請求項１】
ベアリングを介して回転自由に保持されたロータと、前記ベアリングを保持するブラケットと、前記ブラケットにより挟み込まれたステータを有する誘導電動機であって、前記ブラケットに複数の突起部を設け、両側のブラケットの突起部を突き当てたことを特徴とする誘導電動機。
【請求項２】
両側のブラケットの少なくとも一方の複数の突起部によりステ−タを固定したことを特徴とする請求項１に記載の誘導電動機。
【請求項３】
両側のブラケットの少なくとも一方とステ−タを焼き嵌めにより固定したことを特徴とする請求項１に記載の誘導電動機。
【請求項４】
両側のブラケットの少なくとも一方の複数の突起部の、ステータとのあたり面に設けた複数の突状の突起によりステ−タを固定したことを特徴とする請求項１に記載の誘導電動機。
【請求項５】
請求項１〜４のいずれか１項に記載の誘導電動機を用いた真空ポンプ。
【発明の詳細な説明】
【技術分野】
【０００１】
本発明は、真空ポンプに使用する誘導電動機に関するものである。
【背景技術】
【０００２】
従来、この種の誘導電動機は図８に示すようにベアリング１０１を介して回転自由に保持されたロ−タ１０２と前記ベアリング１０１を保持するブラケットＡ１０３、Ｂ１０４を有し、前記ブラケットＡ１０３、Ｂ１０４によりステ−タ１０５を挟み込み固定していた。（例えば非特許文献１参照）
【非特許文献１】Ｐａｎａｓｏｎｉｃモータカタログ外形図「コンデンサランモータ小型プレスフレームタイプ」１９９３年１月
【発明の開示】
【発明が解決しようとする課題】
【０００３】
しかしながら、前記従来の構成では、ステ−タ１０５及びブラケットＡ１０３、Ｂ１０４の寸法バラツキにより両側のブラケットＡ１０３、Ｂ１０４の平行度が出ず、ロ−タ１０２とステ−タ１０５の空間距離が不均等となり、擦れ音が発生するという課題を有していた。
【０００４】
本発明は、前記従来の課題を解決するもので、両側のブラケットＡ１０３、Ｂ１０４に突起部を設け、その部分を突き当てる構造とすることによりステ−タとブラケットのバラツキに関係なく平行度を出すことができ、ロ−タとステ−タの擦れ音を低減出来る誘導電動機を提供することを目的とする。
【課題を解決するための手段】
【０００５】
前記従来の課題を解決するために、本発明の誘導電動機は、ベアリングを介して回転自由に保持されたロータと、前記ベアリングを保持するブラケットと、前記ブラケットにより挟み込まれたステータを有する誘導電動機であって、前記ブラケットに複数の突起部を設け、両側のブラケットの突起部を突き当てたことによりステ−タとブラケットのバラツキに関係なくブラケットの平行度が出せ、ロ−タとステ−タの擦れ音を低減できる。
【０００６】
また、少なくとも一方のブラケットの突起部にステ−タを固定する事により、ステ−タの寸法のバラツキが発生してもステ−タを固定することができる。
【発明の効果】
【０００７】
本発明の誘導電動機は、ステ−タとブラケットの寸法バラツキに関係なく両側のブラケットの平行度が出せる。また、ブラケットの突起部にステ−タを固定する事により、ステ−タの寸法バラツキに関係なくステ−タを固定でる。部品の寸法及び組立バラツキによるロ−タとステ−タの擦れ音を低減することができる。
【発明を実施するための最良の形態】
【０００８】
第１の発明は、ベアリングを介して回転自由に保持されたロータと、前記ベアリングを保持するブラケットと、前記ブラケットにより挟み込まれたステータを有する誘導電動機であって、前記ブラケットに複数の突起部を設け、両側のブラケットの突起部を突き当てたことにより、部品の寸法及び組立バラツキによるロ−タとステ−タの擦れ音を低減できる。
【０００９】
第２の発明は、両側のブラケットの少なくとも一方の複数の突起部によりステ−タを固
定することにより、ステ−タの寸法バラツキに関係なくステ−タを固定できる。それにより部品の寸法及び組立バラツキによるロ−タとステ−タの擦れ音を低減できる。
【００１０】
第３の発明は、両側のブラケットの少なくとも一方とステータを焼き嵌めにより固定することにより、容易に確実に固定することができる。
【００１１】
第４の発明は、両側のブラケットの少なくとも一方の複数の突起部のステータとの当たり面に設けた複数の突状の突起によりステ−タを固定することにより、ステ−タの寸法バラツキに関係なくステ−タを固定できる。部品の寸法及び組立バラツキによるロ−タとステ−タの擦れ音を低減できる。また焼き嵌めにすることによりブラケットとステ−タの組立が容易にできる。
【００１２】
第５の発明は、上記１〜４の発明の誘導電動機を真空ポンプに使用したもので、真空ポンプのモ−タは、両側ブラケットにケ−シングを取付けるためにブラケットの平行度が要求され、本発明の誘導電動機を真空ポンプに使用すると、本発明の効果がより顕著に発現する。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における誘導電動機の部分断面図を示すものである。
図２、図３は、本発明の第１の実態の形態におけるブラケットＡの内面図とブラケットＡのＡ−Ａからみた断面図であり、図４、図５は、本発明の第１の実態の形態におけるブラケットＢの内面図とブラケットＢのＢ−Ｂからみた断面図である。
【００１５】
以上の図において、ベアリング１を介して回転自由に保持されたロータ２と、前記ベアリング１を保持するブラケットＡ３、Ｂ４を有する。ステ−タ５は前記ブラケットＡ３、Ｂ４により挟み込まれネジ６により固定されている誘導電動機であって、前記ブラケットＡ３、Ｂ４にそれぞれ４個の突起部７を設け、突起部７の長さは１５ｍｍとする。前記のブラケットＡ３、Ｂ４の突起部７を突き当てることにより、ブラケットＡ３、Ｂ４及びロ−タ２の同芯度の精度が向上し部品の寸法及び組立バラツキによるロ−タ２とステ−タ５の擦れ音を低減できる。
【００１６】
（実施の形態２）
本実施の形態では、実施の形態１の前記ブラケットＡ３、Ｂ４の少なくとも一方の前記突起部７に前記ステ−タ５を固定する。例えば、ステ−タ５の外径が６６ｍｍであればブラケットＡ３の突起部Ａ７の内径を６５．９ｍｍとする。ステ−タ５をブラケットＡ３の突起部Ａ７の内径に圧入することにより、ステ−タ５をブラケットＡ３に固定することが出来る。また、ステ−タ５の寸法バラツキがあるため、ブラケットＢ４の突起部Ｂ８の長さをステ−タ５の長さバラツキ分だけ長くすることにより、ステ−タ５の長さバラツキに関係なくブラケットＡ３、Ｂ４の突起部Ａ７、Ｂ８を突き当てることができ、ブラケットＡ３、Ｂ４及びロ−タ２の同芯度の精度が向上し、部品の寸法及び組立バラツキによるロ−タ２とステ−タ５の擦れ音を低減できる。
【００１７】
（実施の形態３）
本実施の形態では、実施の形態１の前記ブラケットＡ３を焼き嵌めにより前記ステ−タ５を固定する。例えば、ステ−タ５の外形が６６ｍｍであれば、ブラケットＡ３の内径を６５．９３＋０、−０．０４ｍｍとし１５０℃の高温槽で１０分間暖め取り出してすぐに
ステ−タ５に組立てる。ブラケットＡ３を焼き嵌めにすることにより、容易にブラケットＡ３とステ−タ５を組立ることができ、ブラケットＡ３、Ｂ４及びロ−タ２の同芯度の精度が向上し、部品の寸法及び組立バラツキによるロ−タ２とステ−タ５の擦れ音を低減できる。
【００１８】
（実施の形態４）
図６は、本発明の第４の実施の形態におけるブラケットＡの突起部Ａの拡大図を示すものである。
【００１９】
本実施の形態では、実施の形態１の前記ブラケットＡ３ａの突起部Ａ７ａに突状の突起９を設ける。例えば、前記突起部Ａ７ａの内側に縦３ｍｍ、幅３ｍｍ、厚み０．５ｍｍの突状の突起９を設ける。
【００２０】
突起部Ａ７ａの内径に形成されたに突状の突起９により、ステ−タ５をブラケットＡ３ａに固定することが出来る。ブラケットＡ３ａの突起部の内径に突状の突起を形成することによりステ−タ５を固定することができ、ブラケットＡ３ａ、Ｂ４及びロ−タ２の同芯度の精度が向上し、部品の寸法及び組立バラツキによるロ−タ２とステ−タ５の擦れ音を低減できる。
【００２１】
（実施の形態５）
図７は、本発明の第５の実施の形態における真空ポンプの側面図である。
【００２２】
真空ポンプのモ−タは、ブラケットＡ３、Ｂ４にケ−シング１０を取付けるためブラケットＡ３、Ｂ４の平行度が要求される。従って、前記本発明の実施の形態１〜４の誘導電動機を真空ポンプに使用することにより本発明の効果がより顕著に発現する。
【産業上の利用可能性】
【００２３】
以上のように、本発明にかかる誘導電動機は、ステ−タとブラケットの寸法バラツキに関係なく両側のブラケットの平行度が出せる。また、ブラケットの突起部にステ−タを固定する事により、ステ−タの寸法バラツキに関係なくステ−タを固定でる。部品の寸法及び組立バラツキによるロ−タとステ−タの擦れ音を低減することが可能となるので、酸素供給エアコンに搭載する真空ポンプ用のモ−タ等の用途に最適である。
【図面の簡単な説明】
【００２４】
【図１】本発明の実施の形態１における誘導電動機の部分断面図
【図２】本発明の実施の形態１におけるブラケットＡの内面図
【図３】本発明の実施の形態１におけるブラケットＡのＡ−Ａより見た断面図
【図４】本発明の実施の形態１におけるブラケットＢの内面図
【図５】本発明の実施の形態１におけるブラケットＢのＢ−Ｂより見た断面図
【図６】本発明の実施の形態４におけるブラケットＡの突起部の部分拡大図
【図７】本発明の実態の形態５における真空ポンプの側面図
【図８】従来の誘導電動機の部分断面図
【符号の説明】
【００２５】
１  ベアリング
２  ロータ
３  ブラケットＡ
４  ブラケットＢ
５  ステータ
６  ネジ
７，８  突起部
９  突状の突起
１０  ケーシング部
【図１】
2005253224.tif 000003
【図２】
2005253224.tif 000004
【図３】
2005253224.tif 000005
【図４】
2005253224.tif 000006
【図５】
2005253224.tif 000007
【図６】
2005253224.tif 000008
【図７】
2005253224.tif 000009
【図８】
2005253224.tif 000010